(57)【要約】【課題】既存の天吊り器具を用いてプロジェクタ本体を吊り下げることができ、設置角度の調整が容易なプロジェクタを得る。【解決手段】映像を投射するプロジェクタ１００であって、入力映像信号に基づき映像を投射する投射部１１０と、プロジェクタ１００の底面に配置された１ないし複数の脚部１２０〜１４０と、を備え、脚部１２０〜１４０は底部に天吊り設置穴を有し、脚部１２０〜１４０のうち少なくともいずれかはプロジェクタ１００の設置角度を調整する角度調整機構を備えている。【選択図】図１
2010066354.tif 000002
【特許請求の範囲】
【請求項１】
映像を投射するプロジェクタであって、
入力映像信号に基づき映像を投射する投射部と、
当該プロジェクタの底面に配置された１ないし複数の脚部と、
を備え、
前記脚部は底部に天吊り設置穴を有し、
前記脚部のうち少なくともいずれかは当該プロジェクタの設置角度を調整する角度調整機構を備えている
ことを特徴とするプロジェクタ。
【請求項２】
前記角度調整機構は、前記脚部の長さを所定範囲内で調整する機構を備えている
ことを特徴とする請求項１記載のプロジェクタ。
【請求項３】
前記脚部は、
当該脚部に回転自在に取り付けられたフット部を備えており、
前記天吊り設置穴は前記フット部の底面に配置されている
ことを特徴とする請求項１または請求項２記載のプロジェクタ。
【請求項４】
前記フット部を自由度１以上のジョイントで前記脚部に連結した
ことを特徴とする請求項３記載のプロジェクタ。
【請求項５】
前記フット部をヒンジジョイントまたはボールジョイントで前記脚部に連結した
ことを特徴とする請求項４記載のプロジェクタ。
【請求項６】
前記脚部は、
当該プロジェクタの底面前方中央部分に配置された第１脚部と、
当該プロジェクタの底面後方一端に配置された第２脚部と、
当該プロジェクタの底面後方他端に配置された第３脚部と、
で構成されており、
前記第１脚部、前記第２脚部、および前記第３脚部が備える各前記フット部に前記天吊り設置穴を配置し、
前記第１脚部、前記第２脚部、および前記第３脚部と各脚部が備える各前記フット部をそれぞれ自由度１以上のジョイントで連結した
ことを特徴とする請求項３記載のプロジェクタ。
【請求項７】
前記第１脚部、前記第２脚部、および前記第３脚部と各脚部が備える各前記フット部をそれぞれヒンジジョイントまたはボールジョイントで連結した
ことを特徴とする請求項６記載のプロジェクタ。
【請求項８】
当該プロジェクタの底面に第２天吊り設置穴を設けた
ことを特徴とする請求項１ないし請求項７のいずれかに記載のプロジェクタ。
【請求項９】
当該プロジェクタの底面中央やや前方寄りまたは後方寄りの位置に前記第２天吊り設置穴を設け、
前記第２天吊り設置穴は当該プロジェクタを吊り下げるように構成されている
ことを特徴とする請求項８記載のプロジェクタ。
【発明の詳細な説明】
【技術分野】
【０００１】
本発明は、プロジェクタに関するものである。
【背景技術】
【０００２】
従来、プロジェクタの天吊りに関し、特許文献１に、「簡単かつ安全にプロジェクターを天吊りできるプロジェクター天吊り装置の提供」を目的とした技術として「天井側に固定した天井側ブラケット３００に、プロジェクター１に固定したプロジェクター側ブラケット１００（２００）を固定することで、プロジェクター１を天吊り状態に固定保持する天吊り装置で、一方のブラケット１００（２００）にフック(Ｊスロット２２２)を、他方のブラケット３００にフック掛止機構（締結ねじ３２８）を設け、プロジェクター側ブラケット１００（２００）を固定したプロジェクター１を下方から持ち上げ、Ｊスロット２２２と締結ねじ３２８を係合させて、両ブラケット１００（２００），３００を仮止め（仮固定）するようにした。プロジェクター１の重量がこの仮固定部で支持されるので、作業者は、プロジェクター１の全重量を支える必要がなくなり、両ブラケット１００（２００），３００間の固定をスムーズに遂行できる。」というものが提案されている（要約）。
【０００３】
また、特許文献２に、「細かい高さ調節が可能なプロジェクタを提供し、更には例えばこのようなプロジェクタに用い、部品点数が少なく、組み立てや調整が容易なプロジェクタ等の吊下げ装置を提供する」ことを目的とした技術として「プロジェクタ１は高さ調整可能な複数の脚部２１〜２３を有し、プロジェクタ１を天井等に取付ける場合、プロジェクタ１を逆さにして脚部２２、２３を抜取り、脚部２１を引出し、まず吊下げ装置４０のＬ字型のかぎ部５１を脚部２１に掛ける。次に、吊下げ装置４０の孔部５２、５３をそれぞれプロジェクタ機器本体１に形成された脚部２２、２３用の図示せぬ孔に合わせた上で抜き取った脚部２２、２３を差し込む。これによりプロジェクタ１前面部分の高さは脚部２１を用いて高さ調節でき、プロジェクタ１の左右の高さとその角度は脚部２２、２３を用いて調節できる。」というものが提案されている（要約）。
【０００４】
【特許文献１】特開２０００−１２２１８０号公報
【特許文献２】特開２００７−２７２０９７号公報
【発明の開示】
【発明が解決しようとする課題】
【０００５】
上記特許文献１に記載の技術では、プロジェクタ本体の天吊り角度を調整する際には、天吊り器具の設置角度を変えるなどの作業が必要になり、調整に手間がかかる。
また、上記特許文献２に記載の技術では、専用の吊下げ装置が必要であり、コストが新たに発生する。
【０００６】
本発明は、上記のような課題を解決するためになされたものであり、既存の天吊り器具を用いてプロジェクタ本体を吊り下げることができ、設置角度の調整が容易なプロジェクタを得ることを目的とする。
【課題を解決するための手段】
【０００７】
本発明に係るプロジェクタは、映像を投射するプロジェクタであって、入力映像信号に基づき映像を投射する投射部と、当該プロジェクタの底面に配置された１ないし複数の脚部と、を備え、前記脚部は底部に天吊り設置穴を有し、前記脚部のうち少なくともいずれかは当該プロジェクタの設置角度を調整する角度調整機構を備えている。
そのため、従来の天吊り器具と、脚部の底部に配置されている天吊り設置穴とを固定することにより、従来の天吊り器具をそのまま用いて、プロジェクタを天吊り設置することができる。
また、脚部が備える角度調整機構を用いて、プロジェクタの設置角度を容易に調整することができる。
【０００８】
また、本発明に係るプロジェクタにおいて、前記角度調整機構は、前記脚部の長さを所定範囲内で調整する機構を備えている。
そのため、簡易な機構でプロジェクタの設置角度を調整することができる。
【０００９】
また、本発明に係るプロジェクタにおいて、前記天吊り設置穴を有する前記脚部は、当該脚部に回転自在に取り付けられたフット部を備えており、前記天吊り設置穴は前記フット部の底面に配置されている。
そのため、プロジェクタの天吊り設置角度を傾けても、脚部本体のみが回転し、フット部の角度を一定に保つことができるので、脚部や天吊り器具に負担をかけることがない。
【００１０】
また、本発明に係るプロジェクタでは、前記フット部を自由度１以上のジョイントで前記脚部に連結している。
そのため、プロジェクタの天吊り設置角度を、ジョイントが回転する方向に自由に傾けることができる。
【００１１】
また、本発明に係るプロジェクタでは、前記フット部をヒンジジョイントまたはボールジョイントで前記脚部に連結している。
そのため、プロジェクタの天吊り設置角度を、ジョイントが回転する方向に自由に傾けることができる。また、プロジェクタの設置角度を傾ける方向によって、ジョイントの種類を適宜組み合わせ、設置環境に対して好適な傾き調整機構を得ることができる。
【００１２】
また、本発明に係るプロジェクタにおいて、前記脚部は、当該プロジェクタの底面前方中央部分に配置された第１脚部と、当該プロジェクタの底面後方一端に配置された第２脚部と、当該プロジェクタの底面後方他端に配置された第３脚部と、で構成されており、前記第１脚部、前記第２脚部、および前記第３脚部が備える各前記フット部に前記天吊り設置穴を配置し、前記第１脚部、前記第２脚部、および前記第３脚部と各脚部が備える各前記フット部をそれぞれ自由度１以上のジョイントで連結している。
そのため、プロジェクタを安定的に天吊り設置することができる。さらには、プロジェクタの設置角度を容易に調整することができる。
【００１３】
また、本発明に係るプロジェクタでは、前記第１脚部、前記第２脚部、および前記第３脚部と各脚部が備える各前記フット部をそれぞれヒンジジョイントまたはボールジョイントで連結している。
そのため、プロジェクタの天吊り設置角度を、ジョイントが回転する方向に自由に傾けることができる。また、プロジェクタの設置角度を傾ける方向によって、ジョイントの種類を適宜組み合わせ、設置環境に対して好適な傾き調整機構を得ることができる。
【００１４】
また、本発明に係るプロジェクタでは、当該プロジェクタの底面に第２天吊り設置穴を設けている。
そのため、脚部が有する天吊り穴と第２天吊り穴を用いて、プロジェクタをより安定的に天吊り設置することができる。
【００１５】
また、本発明に係るプロジェクタでは、当該プロジェクタの底面中央やや前方寄りまたは後方寄りの位置に前記第２天吊り設置穴を設け、前記第２天吊り設置穴は当該プロジェクタを吊り下げるように構成されている
そのため、プロジェクタを天吊り設置するとプロジェクタが自然に傾く。このとき、プロジェクタの傾きを脚部で調整するためには、傾きを支える側の脚部のみ用いればよいため、その他の脚部は必ずしも必要ではなくなり、脚部の数を少なくすることができる。
【発明を実施するための最良の形態】
【００１６】
実施の形態１．
図１は、本発明の実施の形態１に係るプロジェクタ１００の斜視図である。
プロジェクタ１００は、投射部１１０、第１脚部１２０、第２脚部１３０、第３脚部１４０を備える。
【００１７】
投射部１１０は、光源、投射光学系などの映像投射に必要な構成を適宜備え、入力映像信号を受け取り、その信号に対応した映像をスクリーン等に投射する。
第１脚部１２０、第２脚部１３０、第３脚部１４０は、プロジェクタ１００の底面に配置され、プロジェクタ１００を載置するときにプロジェクタ１００本体を支持する。
第１脚部１２０は、底面の前方（投射部１１０の投射方向）寄り、中央部分に配置されている。
第２脚部１３０は、底面の後方寄り、左端に配置されている。
第３脚部１４０は、底面の後方寄り、右端に配置されている。
【００１８】
第１脚部１２０、第２脚部１３０、第３脚部１４０は、プロジェクタ１００の設置角度を調整するための機構を備える。
例えば、各脚部は、プロジェクタ１００の底面から引き出して長さを可変し、プロジェクタ１００の前後方向や左右方向の傾きを調整するように構成することができる。その他の適当な手法により傾きを調整するように構成してもよい。
また、これらの傾き調整機構は、全ての脚部が備えていてもよいし、いずれか一部の脚部のみが備えていてもよい。
【００１９】
図２は、第１脚部１２０の側断面図である。
第１脚部１２０は、底部に天吊り設置穴１２１を備えている。この天吊り設置穴１２１は、後述の図３で説明する天吊り器具２００の固定金具を螺合するためのものである。
第２脚部１３０、第３脚部１４０も同様の天吊り設置穴を備える。
【００２０】
図３は、プロジェクタ１００を天吊り設置した状態の側面図である。
天吊り器具２００は、特許文献１記載の従来の天吊り器具と同様に、プロジェクタの底面に設けられた天吊り設置穴を用いて天吊り設置を行うことを想定して設計されているものとする。
即ち、プロジェクタを天吊り設置するときは、天吊り金具２１０をプロジェクタ底面の天吊り設置穴に螺合して、プロジェクタを天吊り器具２００に固定することが想定されている。
【００２１】
本実施の形態１に係るプロジェクタ１００を天吊り設置する時は、まず天井３００に天吊り器具２００をあらかじめ固定設置しておく。そして、プロジェクタ１００の底面を天井３００に向け、例えばネジ部材で構成されている天吊り金具２１０を用いて、プロジェクタ１００を天吊り器具２００に固定する。
ここでは、各脚部が有する天吊り設置穴に天吊り金具２１０を螺合することになる。
【００２２】
このように、天吊り金具２１０を用いてプロジェクタ１００の底面を天吊り器具２００に固定するという手順や各器具の構成は、従来の天吊り器具を用いる際の手順や構成と同様であるため、従来の天吊り器具２００をそのまま用いることができる。
【００２３】
図４は、プロジェクタ１００の設置角度を調整した状態の側面図である。
プロジェクタ１００を天吊り設置した状態で設置角度を調整するときは、各脚部の長さを調整し、天吊り器具２００に対するプロジェクタ１００の角度を調整すればよい。
図４では、第１脚部１２０をプロジェクタ１００底面から引き出して長さを伸ばし、プロジェクタ１００を下向きに傾けた例を示したが、調整の仕方はこれに限られない。
例えば、第１脚部１２０の長さを縮めてプロジェクタ１００を上向きに傾けることもできるし、第２脚部１３０や第３脚部１４０を伸縮して左右方向に傾けることもできる。
【００２４】
なお、図３〜図４のようにプロジェクタ１００を天吊り設置するためには、各脚部の間隔が、天吊り器具２００の幅内に収まるようなサイズで構成されていなければならないことを付言しておく。
天吊り器具２００の幅が各脚部の間隔をカバーするように構成されているか、もしくは天吊り器具２００のアームをスライドするなどして天吊り金具２１０の配置位置を調整し各脚部の間隔をカバーすることができれば、既存の天吊り器具２００をそのままプロジェクタ１００の天吊り設置に用いることができる。
もちろん、各脚部の間隔をカバーできるように天吊り器具を改めて設計してもよい。
【００２５】
以上のように、本実施の形態１によれば、プロジェクタ１００の各脚部に天吊り設置穴を設けたので、従来の天吊り器具をそのまま用いて、プロジェクタ１００を天吊り設置することができる。
【００２６】
また、本実施の形態１によれば、各脚部の長さを調整する等の傾き調整機構により、プロジェクタ１００を天吊り設置した際の設置角度を容易に調整することができる。
【００２７】
実施の形態２．
実施の形態１では、各脚部に天吊り設置穴を設け、各脚部の長さを調整する等により、プロジェクタ１００の天吊り設置角度を調整することを説明した。
図４のようにプロジェクタ１００の設置角度を傾けた場合、脚部の底面が天吊り器具２００に対して傾斜した状態で天吊り器具２００に接することになるため、脚部底面の角が天吊り器具２００を圧迫し、プロジェクタ１００の傾き程度によっては、天吊り器具２００を傷める可能性がある。
また、各脚部にも同様の斜め方向の圧力がかかるため、脚部にとっても負荷となる。
【００２８】
そこで、本発明の実施の形態２では、各脚部の底面に可動余裕を持たせ、プロジェクタ１００を傾けて天吊り設置しても、脚部や天吊り器具２００にとって負担とならないようにすることを図る。
【００２９】
図５は、本実施の形態２における第１脚部１２０の側断面図である。
本実施の形態２における第１脚部１２０は、実施の形態１の図２で説明した天吊り設置穴１２１に加え、新たにフット部１２２を備える。また、第１脚部１２０本体とフット部１２２は、自由度１以上のジョイントで接続されている。
このジョイントは、例えば図５（ａ）のようなヒンジジョイントや、図５（ｂ）のようなボールジョイントで構成することができる。その他のジョイント構造を用いてもよい。
【００３０】
なお、第２脚部１３０と第３脚部１４０も、同様にそれぞれフット部１３２、フット部１４２を備え、脚部本体とフット部は、ジョイントで接続されている。
【００３１】
図５（ａ）のように構成した場合、フット部１２２は、図５の左右方向に一定範囲内で回転することができる。
図５（ｂ）のように構成した場合、フット部１２２は、球体を中心に一定範囲内で回転することができる。
【００３２】
図６は、本実施の形態２に係るプロジェクタ１００の設置角度を調整した状態の側面図である。ここでは、第１脚部１２０のフット部を図５（ａ）のようにヒンジジョイントで接続した例を示した。
【００３３】
本実施の形態２では、第１脚部１２０を伸ばしてプロジェクタ１００の設置角度を下向きに傾けると、第１脚部１２０はヒンジ部を中心に回転して傾く。そのため、第１脚部１２０本体のみが天吊り器具２００に対して傾き、フット部１２２は天吊り器具２００に対して水平に接したままの状態を維持する。
したがって、プロジェクタ１００の設置角度を傾けても、天吊り器具２００とフット部１２２の角度は一定に維持され、天吊り器具２００や第１脚部１２０に負担をかけることがない。
【００３４】
図７は、図６と同様の側面図である。ここでは、第３脚部１４０のフット部を図５（ｂ）のようにボールジョイントで接続した例を示した。
【００３５】
図６と同様に第１脚部１２０を伸ばしてプロジェクタ１００の設置角度を下向きに傾けると、第３脚部１４０のボールジョイント部分が回転する。そのため、第３脚部１４０本体のみが天吊り器具２００に対して傾き、フット部１４２は天吊り器具２００に対して水平に接したままの状態を維持する。
したがって、プロジェクタ１００の設置角度を傾けても、天吊り器具２００とフット部１４２の角度は一定に維持され、天吊り器具２００や第３脚部１４０に負担をかけることがない。
図７には示していないが、第２脚部１３０についても、第３脚部１４０と同様である。
【００３６】
なお、第２脚部１３０または第３脚部１４０のいずれか一方のみを底面から引き出して長さを伸ばした場合、プロジェクタ１００は左右方向にも傾くことになる。
しかし、ボールジョイントは左右方向にも回転するため、上述と同様にフット部の角度を一定に保つことができる。
【００３７】
図６〜図７では、第１脚部１２０にヒンジジョイントを用い、第２脚部１３０と第３脚部１４０にボールジョイントを用いた例を説明したが、どの脚部にどのジョイント構造を用いるかは、これらに限られるものではない。
例えば、全ての脚部にボールジョイントを用いてもよいし、第１脚部１２０にヒンジジョイントを用い、第２脚部１３０と第３脚部１４０は実施の形態１と同様に構成することもできる。
一部の脚部のみジョイント構造を用いる場合でも、その脚部については、プロジェクタ１００を傾けたときの負担を低減することができるので、一定の効果を発揮する。
【００３８】
以上のように、本実施の形態２では、脚部とフット部をジョイント構造で接続し、一定の可動余裕を持たせた。
そのため、プロジェクタ１００の天吊り設置角度を傾けたときでも、ジョイント部分を中心に脚部本体が回転し、フット部は天吊り器具２００に対して一定角度を維持することができるので、脚部や天吊り器具２００に負担をかけることがない。
【００３９】
実施の形態３．
以上の実施の形態１〜２では、脚部の底面に天吊り設置穴を設けた構成を説明したが、これに加えて従来と同様にプロジェクタ１００本体底面に天吊り設置穴を設けてもよい。本発明の実施の形態３では、その構成について説明する。
【００４０】
図８は、本実施の形態３に係るプロジェクタ１００を天吊り設置した状態の側面図である。本実施の形態３に係るプロジェクタ１００は、本体底面の中央部分に天吊り設置穴１５０を備えている。その他の構成は、実施の形態１〜２と同様である。
【００４１】
本実施の形態３に係るプロジェクタ１００を天吊り設置する際には、各脚部をプロジェクタ１００本体内に引っ込めて置き、天吊り器具２００とプロジェクタ１００底面を天吊り金具２１０で固定する。これにより、従来の天吊り器具２００と同様に、プロジェクタ１００を天吊り設置することができる。
なお、上記固定に加えてさらに、各脚部を天吊り金具２１０で天吊り器具２００に固定してもよい。
【００４２】
図９は、天吊り器具２００とプロジェクタ１００の間隔を空けた際の側面図である。
天吊り設置穴１５０と天吊り器具２００の接続部分を引き出すなどして延長可能に構成されている場合は、図９のように各脚部の長さを伸ばして設置高さを可変することもできる。さらには、例えば第１脚部１２０のみ底面から引き出して長さを伸ばし、設置角度を変えることも可能である。
【００４３】
なお、天吊り設置穴１５０を配置する位置は、必ずしもプロジェクタ１００底面の中央部分でなくともよい。例えば、中央部分よりも前方寄りや後方寄りの位置、左右寄りの位置に配置してもよい。
また、天吊り設置穴１５０の数は、必ずしも１つでなくともよく、複数の天吊り設置穴１５０を設け、複数個所でプロジェクタ１００を天吊りするように構成してもよい。
【００４４】
以上のように、本実施の形態３によれば、プロジェクタ１００底面に天吊り設置穴１５０を設けたので、天吊り器具２００の幅が各脚部の間隔をカバーできない場合でも、従来と同様に天吊り設置することができる。
そのため、天吊り器具２００の構造に制約を受けにくくなり、天吊り設置の自由度が増してユーザにとって便宜である。
【００４５】
また、本実施の形態３において、天吊り設置穴１５０と天吊り器具２００の接続部分を延長可能である場合は、実施の形態１〜２と同様に、脚部の長さを調整することによりプロジェクタ１００の設置角度を変えることもできる。
【００４６】
また、本実施の形態３において、天吊り設置穴１５０と各脚部の天吊り設置穴の双方でプロジェクタ１００を固定することにより、プロジェクタ１００の設置安定性を向上させることができる。
【００４７】
実施の形態４．
図１０は、本発明の実施の形態４に係るプロジェクタ１００を天吊り設置した状態の側面図である。
本実施の形態４において、天吊り金具２２０は、プロジェクタ１００を一点以上で吊り下げるように構成されている。また、天吊り設置穴１５０は、プロジェクタ１００底面のやや後方寄りの位置に配置されている。
【００４８】
プロジェクタ１００を天吊りするときは、天吊り金具２２０を天吊り設置穴１５０に嵌めて天吊り器具２００からぶら下げるようにして天吊りする。
プロジェクタ１００を吊り下げた状態で、プロジェクタ１００の角度をある程度可変することができるよう、天吊り金具２２０と天吊り設置穴１５０の接続部分には、一定の可動余裕を持たせておく。
【００４９】
上述のように構成した場合、天吊り設置穴１５０が後方寄りに配置されているため、プロジェクタ１００を天吊りすると、前方を下に向ける方向に自然に傾く。
このとき、第２脚部１３０と第３脚部１４０を引き出して突っ張り棒のように用い、各脚部の長さを調整して、プロジェクタ１００が所望の傾き角度となるように調整することもできる。
【００５０】
図１１は、プロジェクタ１００を天吊りする際の別構成例を示す側面図である。
図１１では、図１０と異なり、第１脚部１２０を引き出して天吊り器具２００に固定し、第１脚部１２０を引っ張り棒のように用いてプロジェクタ１００の設置角度を調整している。
【００５１】
図１０〜図１１のように構成する場合、プロジェクタ１００の設置角度を調整するためには、プロジェクタ１００は、必ずしも３つの脚部を全て備えている必要はない。
例えば、第１脚部１２０のみ、または第２脚部１３０と第３脚部１４０のみを備えていれば、設置角度の調整には足りる。
もちろん、全ての脚部を備えていても特段の支障はないことは言うまでもない。
【００５２】
図１０と図１１を比較すると、図１０では天吊り金具２２０と第３脚部１４０がともにプロジェクタ１００の後方寄りの位置でプロジェクタ１００を支持しているのに対し、図１１では第１脚部１２０が前方寄り、天吊り金具２２０が後方寄りの位置でプロジェクタ１００を支持している。
プロジェクタ１００の設置安定の観点からは、前方と後方でプロジェクタ１００を支持する図１１のような構成の方が好ましい。
【００５３】
一方、天吊り設置穴１５０を前方寄りに配置したときは、上記と反対のことが言える。
例えば、天吊り金具２００が前方寄りの位置でプロジェクタ１００を支持し、第２脚部１３０と第３脚部１４０は後方寄りの位置で引っ張り棒のようにしてプロジェクタ１００を支持する、という状態になる。
【００５４】
なお、各脚部の底部を、実施の形態２で説明したようなフット部とジョイントの連結構造で構成し、天吊り器具２００と各脚部を天吊り金具で固定することもできる。
これにより、各脚部や天吊り器具２００に負担をかけることがなくなり、実施の形態２と同様の効果を発揮することができる。
【００５５】
以上のように、本実施の形態４では、プロジェクタ１００底面の中央前方寄りまたは後方寄りの位置に天吊り設置穴を設けた。
これにより、実施の形態３と同様に、天吊り設置穴１５０と各脚部の天吊り設置穴の双方でプロジェクタ１００を天吊り器具２００に固定し、プロジェクタ１００の設置安定性を向上させることができる。
【００５６】
また、本実施の形態４では、プロジェクタ１００は、必ずしも第１脚部１２０、第２脚部１３０、第３脚部１４０の全てを備えている必要はなく、上述のように一部の脚部のみで足りる。
これにより、プロジェクタ１００の部品点数を削減し、製造コストを低く抑えることができる。
【００５７】
実施の形態５．
以上の実施の形態１〜４では、プロジェクタ１００は３つの脚部を備えている構成を説明したが、脚部の個数はこれに限られるものではない。例えば、底面の４隅にそれぞれ脚部を備える４脚構成としてもよいし、それ以上の個数の脚部を備えていてもよい。
【００５８】
また、プロジェクタ１００を天吊り設置用途に限定する場合は、実施の形態４の後段で説明したように、第１脚部１２０のみの１脚構成、第２脚部１３０と第３脚部１４０のみの２脚構成も可能である。
もっとも、プロジェクタ１００をより確実に安定的に設置したい場合は、３脚以上を備えることが望ましい。
【図面の簡単な説明】
【００５９】
【図１】実施の形態１に係るプロジェクタ１００の斜視図である。
【図２】第１脚部１２０の側断面図である。
【図３】プロジェクタ１００を天吊り設置した状態の側面図である。
【図４】プロジェクタ１００の設置角度を調整した状態の側面図である。
【図５】実施の形態２における第１脚部１２０の側断面図である。
【図６】実施の形態２のプロジェクタ１００の設置角を調整した際の側面図である。
【図７】図６と同様の側面図である。
【図８】実施の形態３のプロジェクタ１００を天吊り設置した際の側面図である。
【図９】天吊り器具２００とプロジェクタ１００の間隔を空けた際の側面図である。
【図１０】実施の形態４のプロジェクタ１００を天吊り設置した際の側面図である。
【図１１】プロジェクタ１００を天吊りする際の別構成例を示す側面図である。
【符号の説明】
【００６０】
１００  プロジェクタ、１１０  投射部、１２０  第１脚部、１２１  天吊り設置穴、１２２  フット部、１３０  第２脚部、１４０  第３脚部、１５０  天吊り設置穴、２００  天吊り器具、２１０〜２２０  天吊り金具。
【図１】
2010066354.tif 000003
【図２】
2010066354.tif 000004
【図３】
2010066354.tif 000005
【図４】
2010066354.tif 000006
【図５】
2010066354.tif 000007
【図６】
2010066354.tif 000008
【図７】
2010066354.tif 000009
【図８】
2010066354.tif 000010
【図９】
2010066354.tif 000011
【図１０】
2010066354.tif 000012
【図１１】
2010066354.tif 000013